(57)【要約】  【課題】  消耗品の発注情報を転写紙に印刷する場合、黒トナーエンド時にはマゼンタまたはシアントナーで印刷可能である画像形成装置を提供すること。  【解決手段】  消耗品発注情報印刷要求があった場合（Ｓ８０１；Ｙ）黒トナーエンドか否かを判断する。黒トナーエンドでない場合（Ｓ８０２；Ｎ）黒トナーで印刷し（Ｓ８０４）、黒トナーエンドの場合（Ｓ８０２；Ｙ）ユーザーによる代替色の選択を行う。マゼンタトナー選択の場合（Ｓ８０３；マゼンタ）マゼンタトナーエンドか否かを判断する。マゼンタトナーエンドでない場合（Ｓ８０５；Ｎ）マゼンタトナーで印刷し（Ｓ８０７）、マゼンタトナーエンドの場合（Ｓ８０５；Ｙ）トナーエンドの警告画面を表示する（Ｓ８０９）。シアントナー選択の場合（Ｓ８０３；シアン）もマゼンタトナー同様の処理を行う。マゼンタまたはシアンのトナー残量の多い方で消耗品発注情報を印刷する方法もある。  【選択図】  図８
2005055699.tif 000002
【特許請求の範囲】
【請求項１】
画像情報をイエロー、マゼンタ、シアン、ブラックいずれかのトナー色で画像形成対象の所定媒体に画像形成する画像形成手段と、
トナー等の消耗品の発注情報を入力する入力手段と、
この入力手段にて入力された消耗品の発注情報を出力する出力手段と、
各トナー残量を検出する検出手段と、
マゼンタトナーとシアントナーのうちいずれかのトナー色を指定する指定手段と、を備え、
前記出力手段は、前記検出手段にてブラックトナーエンドが検出された場合、前記指定手段にて指定されたトナー色で前記画像形成手段にて消耗品の発注情報を画像形成し、前記検出手段にてブラックトナーエンドが検出されなかった場合、ブラックトナーで前記画像形成手段にて消耗品の発注情報を画像形成することを特徴とする画像形成装置。
【請求項２】
画像情報をイエロー、マゼンタ、シアン、ブラックいずれかのトナー色で画像形成対象の所定媒体に画像形成する画像形成手段と、
トナー等の消耗品の発注情報を入力する入力手段と、
この入力手段にて入力された消耗品の発注情報を出力する出力手段と、
各トナー残量を検出する検出手段と、
この検出手段にてマゼンタトナーとシアントナーのうちトナー残量の多いトナー色を決定する決定手段と、を備え、
前記出力手段は、前記検出手段にてブラックトナーエンドが検出された場合、前記決定手段にて決定されたトナー色で前記画像形成手段にて消耗品の発注情報を画像形成し、前記検出手段にてブラックトナーエンドが検出されなかった場合、ブラックトナーで前記画像形成手段にて消耗品の発注情報を画像形成することを特徴とする画像形成装置。
【発明の詳細な説明】
【技術分野】
【０００１】
本発明は、カラーデジタル複写機、カラーレーザープリンタ等、印刷対象原稿を白黒印刷あるいはカラー印刷する画像形成装置に関する。
【背景技術】
【０００２】
カラーデジタル複写機、カラーレーザープリンタ等の画像形成装置が広く普及し、これらの画像形成装置はネットワーク接続環境下で多大な印刷要求を受け付けるようになった。この結果、トナー等の消耗品の交換サイクルも短くなり、消耗品の交換や発注を効率よく行うことが求められるようになった。この対策としての技術が、下記の特許文献に開示されている。
【０００３】
【特許文献１】特開２０００−１９４７６７公報
【特許文献２】特開２００１−１１７４４８公報
【０００４】
特許文献１は、ネットワークに接続されているＯＡ機器の消耗品の情報及び各消耗品の在庫情報から供給が要求される消耗品を自動的にファクシミリやメール等で発注する自動発注システムについて述べている。
【０００５】
特許文献２は、画像形成装置の消耗品の交換が必要であるか否かを判断し、消耗品の交換が必要な場合、その旨をネットワークを介して管理者のＰＣに通知したり、消耗品の発注書を作成してネットワークを介して購入先に送信したりすることで、消耗品の交換に要する時間を短縮し、消耗品の購入を容易に行うことができる画像形成装置について述べている。
【発明の開示】
【発明が解決しようとする課題】
【０００６】
しかしながら、特許文献１及び特許文献２は、共にネットワークを介して消耗品を発注する処理について述べたものである。ネットワークに接続されていない環境下の画像形成装置では、機械設置時等にトナー等の消耗品の発注先をパネル入力しておき、この発注情報をユーザーが消耗品を発注する際にパネルに表示したり、転写紙に印刷したりしている。ただし、この発注情報の転写紙への印刷は、黒トナーにて実施しているため、黒トナー切れである黒トナーエンド時には、印刷を実施できないという問題があった。
【０００７】
本発明は、上記のような問題を鑑み、消耗品の発注情報を転写紙に印刷する場合、黒トナーエンド時には、マゼンタトナーもしくはシアントナーにて印刷可能とすることで、ネットワークに接続されていない環境下でもユーザーの操作性を向上させることができる画像形成装置を提供することを第１の目的とする。
【０００８】
また、消耗品の発注情報を転写紙に印刷する場合、黒トナーエンド時には、マゼンタトナーもしくはシアントナーのうち、トナー消費量が少ないトナーで印刷可能とすることで、発注回数を減らすことができ、ネットワークに接続されていない環境下でもユーザーの操作性を向上させることができる画像形成装置を提供することを第２の目的とする。
【課題を解決するための手段】
【０００９】
請求項１記載の発明は、画像情報をイエロー、マゼンタ、シアン、ブラックいずれかのトナー色で画像形成対象の所定媒体に画像形成する画像形成手段と、トナー等の消耗品の発注情報を入力する入力手段と、この入力手段にて入力された消耗品の発注情報を出力する出力手段と、各トナー残量を検出する検出手段と、マゼンタトナーとシアントナーのうちいずれかのトナー色を指定する指定手段と、を備え、前記出力手段は、前記検出手段にてブラックトナーエンドが検出された場合、前記指定手段にて指定されたトナー色で前記画像形成手段にて消耗品の発注情報を画像形成し、前記検出手段にてブラックトナーエンドが検出されなかった場合、ブラックトナーで前記画像形成手段にて消耗品の発注情報を画像形成することにより、前記第１の目的を達成する。
【００１０】
請求項２記載の発明は、画像情報をイエロー、マゼンタ、シアン、ブラックいずれかのトナー色で画像形成対象の所定媒体に画像形成する画像形成手段と、トナー等の消耗品の発注情報を入力する入力手段と、この入力手段にて入力された消耗品の発注情報を出力する出力手段と、各トナー残量を検出する検出手段と、この検出手段にてマゼンタトナーとシアントナーのうちトナー残量の多いトナー色を決定する決定手段と、を備え、前記出力手段は、前記検出手段にてブラックトナーエンドが検出された場合、前記決定手段にて決定されたトナー色で前記画像形成手段にて消耗品の発注情報を画像形成し、前記検出手段にてブラックトナーエンドが検出されなかった場合、ブラックトナーで前記画像形成手段にて消耗品の発注情報を画像形成することにより、前記第２の目的を達成する。
【発明の効果】
【００１１】
請求項１記載の画像形成装置によれば、消耗品の発注情報を転写紙に印刷する場合、黒トナーエンド時には、マゼンタトナーもしくはシアントナーでの印刷が可能となり、ユーザーの操作性を向上させることができる。
【００１２】
請求項２記載の画像形成装置によれば、消耗品の発注情報を転写紙に印刷する場合、黒トナーエンド時には、マゼンタトナーもしくはシアントナーのうち、トナー消費量が少ないトナーでの印刷が可能となり、消耗品の発注回数を減らすことができ、ユーザーの操作性を向上させることができる。
【発明を実施するための最良の形態】
【００１３】
以下、本発明の好適な実施の形態について、図１から図１０を参照して詳細に説明する。
図１は、本発明の実施の形態に係るカラーデジタル複写機の概略構成を示した図である。本発明の実施の形態に係るカラーデジタル複写機は、原稿自動送り装置（以下、ＡＤＦ）１、原稿読み取り装置（スキャナユニット）２、画像書き込みユニット３、画像形成ユニット４、１次転写ユニット５、２次転写ユニット６、定着ユニット７等から構成されている。
【００１４】
ＡＤＦ１は、シートスルータイプとなっており、読み取る原稿を、原稿読み取り装置２内にユーザーから指定される複写倍率に応じた速度で送る。原稿読み取り装置２は、光源、複数のミラーを有するキャリッジ２１、レンズ２２、ＣＣＤ（光電変換素子）２３、バッファ２４等を備え、ＡＤＦ１で送られてきた原稿を走査して読み取り、読み取った画像情報を後述するコントローラの画像メモリに転送する。画像書き込みユニット３は、レーザー光源やポリゴンミラー等を備え、画像情報に応じたレーザービーム３１を画像形成ユニット４に送射する。
【００１５】
画像形成ユニット４は、感光体４１、感光体４１の周囲に配置された帯電チャージャー４２、画像書き込みユニット３から送射されるレーザービーム３１の照射部、ブラック（Ｋ）、シアン（Ｃ）、マゼンタ（Ｍ）、イエロー（Ｙ）からなる回転式または固定式のカラー現像部４３、ドラムクリーニング部４４等を備えている。この画像形成ユニット４では、レーザービーム３１により感光体４１上に静電潜像を形成し、形成した静電潜像をカラー現像部４３で可視化してトナー像を形成する。
【００１６】
１次転写ユニット５は、中間転写ベルト５１、１次転写部５２、テンションローラ５３、２本の２次転写ローラ５４、５５、クリーニング部５６等を備えている。この１次転写ユニット５は、感光体４１に形成されたトナー像を中間転写ベルト５１に１次転写する。この中間転写ベルト５１は、同時に２面分のトナー像を転写できるようになっている。この中間転写ベルト５１は、感光体４１上のトナー像を１次転写するとき以外は接離機構（図示せず）によって感光体４１の表面から離されており、中間転写ベルト５１に１次転写するときだけ感光体４１表面に圧接される。
２次転写ユニット６は、中間転写ベルト５１に転写されたトナー像を転写材（転写紙）に２次転写する。トナー像が転写された転写材は、定着ユニット７に搬送され、定着ユニット７によって転写材のトナー像は熱定着される。この後、転写材はカラーデジタル複写機の機外へ排出される。
【００１７】
上述した通り、本発明の実施の形態に係るカラーデジタル複写機は、シートスルータイプのＡＤＦ１を有し、中間転写ベルト５１に同時に小サイズ（本実施の形態の場合は２１６ｍｍ以下）の場合は２面分の画像転写を行うことができ、大サイズ（２１７ｍｍ超）の場合は１面分のみの画像転写を行うことができるように構成されている。
【００１８】
また、本発明の実施の形態に係るカラーデジタル複写機では、フルカラーコピー時の作像色の順番は、イエロー（Ｙ）→マゼンタ（Ｍ）→シアン（Ｃ）→ブラック（Ｋ）の順となっている。図２は、色の三原色を示しており、Ｙ、Ｍ、Ｃ、Ｋを使用して他色であるレッド（Ｒ）、グリーン（Ｇ）、ブルー（Ｂ）を表現する場合を示した図である。例えば、ＧはＹとＣの重ね合わせ、ＲはＹとＭの重ね合わせによって可視化される。
【００１９】
図３は、本発明の実施の形態に係るカラーデジタル複写機のシステム・ハード構成例を示した図である。
本発明の実施の形態に係るカラーデジタル複写機は、スキャナユニット３０１、操作部３０２、装置本体３０３、該装置本体３０３内に設けられたプリンタエンジン３０４、スキャナユニット３０１で読み取った原稿がカラー原稿であるか否かの判断を行うカラー判定装置（図示せず）等で構成されている。図３において、スキャナユニット３０１は図１の原稿読み取り装置２に相当し、プリンタエンジン３０４は図１の画像形成ユニット４に相当している。
【００２０】
操作部３０２は、後述する消耗品の発注情報画面を表示するための問い合わせ一覧キー、表面にタッチパネルを備えた操作部ＬＣＤ（液晶ディスプレイ）等を備えている。
装置本体３０３内のＩＰＵは、画像処理装置であり、各種フィルタ処理などが行われる。装置本体３０３内のコントローラは、スキャナユニット３０１で読み取った画像情報を蓄積し、プリンタエンジン３０４に画像転送を行うための画像メモリ、カラーデジタル複写機各部の動作を制御するプログラムを格納するプログラムＲＯＭ（リード・オンリ・メモリ）、ＨＤＤ（ハード・ディスク・ドライブ）等を備えている。プリンタエンジン３０４内のトナーエンド検知機構３０５は、トナー残量の検出を行うが、その方法には、トナーボトル内のトナー残量をメカ的に検知する方法や、実際に画像データをプロットしたデータ量を蓄積しておき、そのデータ量からトナー残量を検出する方法等が挙げられる。
スキャナユニット３０１、ＩＰＵ、コントローラ、プリンタエンジン３０４は、マザーボードを介してコマンド通信も可能な画像バスで接続される。
【００２１】
図４は、図３のスキャナユニット３０１からコントローラの画像メモリへの画像転送イメージを示した図である。図３のスキャナユニット３０１では、原稿のＹ、Ｍ、Ｃ、Ｋ成分の画像を同時に読み取り、画像バスを介して、Ｙ、Ｍ、Ｃ、Ｋデータを１ライン毎に線順次で同時にコントローラに転送する。コントローラの画像メモリは、Ｙ、Ｍ、Ｃ、Ｋのプレーンデータを各々格納するＹ格納領域（Ｙプレーン）、Ｍ格納領域（Ｍプレーン）、Ｃ格納領域（Ｃプレーン）、Ｋ格納領域（Ｋプレーン）を有している。スキャナユニット３０１から転送されてくるＹ、Ｍ、Ｃ、Ｋデータは、１ライン毎に線順次で、各プレーンデータ格納用であるＹ格納領域、Ｍ格納領域、Ｃ格納領域、Ｋ格納領域に記憶される。
【００２２】
ここで、１プレーン当たりに必要な画像メモリの容量を算出する方法について述べる。ここでは、コピー読み取り画像の解像度を１ピクセル＝６００（ｄｐｉ）／２値データとして考えるが、この量子化については、特に限定しない。例えば、１ピクセル＝６００（ｄｐｉ）／８（ｂｉｔ）階調とした場合は、単純に８倍となるだけである。上記を前提とすると、Ａ３サイズ（４２０ｍｍ×２９７ｍｍ）の各色毎（Ｙ、Ｍ、Ｃ、Ｋ）に必要となる画像メモリは、｛４２０（ｍｍ）×６００（ｄｐｉ）／２５．４（ｍｍ）｝×｛２９７（ｍｍ）×６００（ｄｐｉ）／２５．４（ｍｍ）｝＝６９６０５０５９（ｄｏｔ）となる。画像データとしては１（ｂｙｔｅ）＝８（ｄｏｔ）（ｂｉｔ）であることより、６９６０５０５９／８＝８７００６３２（ｂｙｔｅ）＝８．７（Ｍｂｙｔｅ）となる。これを、１プレーン当たりの画像メモリの容量とする。
【００２３】
図５は、消耗品の発注情報画面の例を示した図である。この消耗品の発注情報画面は、図３の操作部３０２上にある問い合わせ一覧キーを押下することで、操作部３０２上にある操作部ＬＣＤに表示される。消耗品の発注情報画面上には、消耗品の名称、発注先の電話番号等の項目があるが、これらの項目についての情報は、後述のキーボード画面より入力を行う。
【００２４】
図６は、図５の消耗品の発注情報画面上の項目に必要な情報を入力するためのキーボード画面の例を示した図である。このキーボード画面は、図５の消耗品の発注情報画面上の項目のフィールドを押下することで、図３の操作部３０２上にある操作部ＬＣＤに表示され、消耗品の発注情報画面上の項目に必要な情報を入力可能な構成となっている。この必要な情報の入力は、機械設置時等にあらかじめ行っておくことも、消耗品の発注時に随時行うことも可能である。
【００２５】
図７は、消耗品の発注情報画面の情報を転写紙に印刷した結果を示した図である。この印刷処理は、図５の消耗品の発注情報画面上の連絡先一覧印刷のボタンを押下することで実施される。
続いて、各実施例毎の転写紙に消耗品の発注情報を印刷する手順の説明を行う。
【実施例１】
【００２６】
まず、第１の実施例を図８のフローチャートを参照して説明する。図３の操作部３０２上にある問い合わせ一覧キーが押下され、図５の消耗品の発注情報画面が表示されると、ユーザーから消耗品の発注情報を転写紙に印刷する要求があったか否かを、消耗品の発注情報画面の連絡先一覧印刷ボタンが押下されたか否かで判断する（ステップ８０１）。消耗品発注情報印刷要求がなかった（図５の消耗品の発注情報画面の連絡先一覧印刷ボタンが押下されなかった）場合（ステップ８０１；Ｎ）、転写紙への印刷は行わない。一方、消耗品発注情報印刷要求があった（図５の消耗品の発注情報画面の連絡先一覧印刷ボタンが押下された）場合（ステップ８０１；Ｙ）、黒トナーエンドか否かを図３のトナーエンド検知機構３０５により黒トナー残量が検出されたか否かで判断する（ステップ８０２）。黒トナーエンドでなかった（トナーエンド検知機構３０５により黒トナー残量が検出された）場合（ステップ８０２；Ｎ）、転写紙に黒トナーで消耗品の発注情報を印刷する（ステップ８０４）。一方、黒トナーエンドの（トナーエンド検知機構３０５により黒トナー残量が検出されなかった）場合（ステップ８０２；Ｙ）、代替色の選択を行う（ステップ８０３）。代替色の選択は、操作部ＬＣＤ上にマゼンタトナーとシアントナーのどちらのトナーを選択するかの選択画面を表示し、この選択画面よりユーザーがトナー色を選択することで行う。
【００２７】
代替色としてマゼンタトナーが選択された場合（ステップ８０３；マゼンタトナー選択）、マゼンタトナーエンドか否かを図３のトナーエンド検知機構３０５により判断する（ステップ８０５）。マゼンタトナーエンドでなかった場合（ステップ８０５；Ｎ）、転写紙にマゼンタトナーで消耗品の発注情報を印刷する（ステップ８０７）。一方、マゼンタトナーエンドの場合（ステップ８０５；Ｙ）、後述するトナーエンドの警告画面を表示する（ステップ８０９）。
代替色としてシアントナーが選択された場合（ステップ８０３；シアントナー選択）、シアントナーエンドか否かを図３のトナーエンド検知機構３０５により判断する（ステップ８０６）。シアントナーエンドでなかった場合（ステップ８０６；Ｎ）、転写紙にシアントナーで消耗品の発注情報を印刷する（ステップ８０８）。一方、シアントナーエンドの場合（ステップ８０６；Ｙ）、後述するトナーエンドの警告画面を表示する（ステップ８０９）。
【００２８】
図１０は、トナーエンドの警告画面の例を示した図である。このトナーエンドの警告画面は、図３の操作部３０２上にある操作部ＬＣＤに表示される。図１０では、ブラック、マゼンタ、シアン、イエローのトナーエンド表示を行っているが、実際にトナーエンドとなった色のみが表示される。
【００２９】
また、本実施例では、代替色の選択を消耗品発注情報印刷要求後に行っているが、あらかじめ、初期設定などで登録しておいてもよい。初期設定とは、よく使用する条件に合わせて、機能の初期設定値を変更したり、操作の条件を設定することである。
初期設定には複写機システム全般の機能の設定を行う「システム初期設定」とコピーモードの機能の設定に限定した「コピー初期設定」等がある。例えば、「システム初期設定」にはキー操作後、一定時間なにも操作を行わなかったときに電源を入れたときの状態に戻す「オートクリア時間の設定」等があり、「コピー初期設定」にはセットできるコピー枚数の上限を変更する「コピーセット枚数制限の設定」や、「片面→両面」コピーで、裏面の左とじ代幅の設定が可能な「両面コピー左とじ幅」等がある。
尚、本実施例では、代替色としてイエローを選択不可としているが、その理由は、イエロー単色で印刷を行うと視認性が悪いためである。
【実施例２】
【００３０】
次に、第２の実施例を図９のフローチャートを参照して説明する。図３の操作部３０２上にある問い合わせ一覧キーが押下され、図５の消耗品の発注情報画面が表示されると、ユーザーから消耗品の発注情報を転写紙に印刷する要求があったか否かを、消耗品の発注情報画面の連絡先一覧印刷ボタンが押下されたか否かで判断する（ステップ９０１）。消耗品発注情報印刷要求がなかった（図５の消耗品の発注情報画面の連絡先一覧印刷ボタンが押下されなかった）場合（ステップ９０１；Ｎ）、転写紙への印刷は行わない。一方、消耗品発注情報印刷要求があった（図５の消耗品の発注情報画面の連絡先一覧印刷ボタンが押下された）場合（ステップ９０１；Ｙ）、黒トナーエンドか否かを図３のトナーエンド検知機構３０５により黒トナー残量が検出されたか否かで判断する（ステップ９０２）。黒トナーエンドでなかった（トナーエンド検知機構３０５により黒トナー残量が検出された）場合（ステップ９０２；Ｎ）、転写紙に黒トナーで消耗品の発注情報を印刷する（ステップ９０３）。一方、黒トナーエンドの（トナーエンド検知機構３０５により黒トナー残量が検出されなかった）場合（ステップ９０２；Ｙ）、代替色の選択を行う（ステップ９０４）。代替色の選択は、トナーエンド検知機構３０５によりマゼンタトナーとシアントナーのトナー残量を検出し、トナー残量の多いトナー色を選択することで行う。
【００３１】
マゼンタトナー残量がシアントナー残量より多かった（マゼンタトナー残量＞シアントナー残量）場合（ステップ９０４；Ｙ）、転写紙にマゼンタトナーで消耗品の発注情報を印刷する（ステップ９０５）。マゼンタトナー残量がシアントナー残量より多くなかった（マゼンタトナー残量≦シアントナー残量）場合（ステップ９０４；Ｎ）、シアントナーエンドか否かを図３のトナーエンド検知機構３０５により判断する（ステップ９０６）。シアントナーエンドでなかった場合（ステップ９０６；Ｎ）、転写紙にシアントナーで消耗品の発注情報を印刷する（ステップ９０７）。一方、シアントナーエンドの場合（ステップ９０６；Ｙ）、図１０のトナーエンドの警告画面を表示する（ステップ９０８）。図１０では、ブラック、マゼンタ、シアン、イエローのトナーエンド表示を行っているが、実施例１と同様、実際にトナーエンドとなった色のみが表示される。
尚、本実施例では、代替色としてイエローを選択不可としているが、その理由は、実施例１と同様、イエロー単色で印刷を行うと視認性が悪いためである。
【図面の簡単な説明】
【００３２】
【図１】本発明の実施の形態に係るカラーデジタル複写機の概略構成を示した図である。
【図２】色の三原色を説明した図である。
【図３】本発明の実施の形態に係るカラーデジタル複写機のシステム・ハード構成例を示した図である。
【図４】スキャナユニットからコントローラの画像メモリへの画像転送イメージを示した図である。
【図５】消耗品の発注情報画面の例を示した図である。
【図６】消耗品の発注情報画面上の項目に必要な情報を入力するためのキーボード画面の例を示した図である。
【図７】消耗品の発注情報画面の情報を転写紙に印刷した結果を示した図である。
【図８】第１の実施例による転写紙に消耗品の発注情報を印刷する手順を示したフローチャートである。
【図９】第２の実施例による転写紙に消耗品の発注情報を印刷する手順を示したフローチャートである。
【図１０】トナーエンドの警告画面の例を示した図である。
【符号の説明】
【００３３】
１  ＡＤＦ
２  原稿読み取り装置
３  画像書き込みユニット
４  画像形成ユニット
５  １次転写ユニット
６  ２次転写ユニット
７  定着ユニット
２１  キャリッジ
２２  レンズ
２３  ＣＣＤ
２４  バッファ
３１  レーザービーム
４１  感光体
４２  帯電チャージャー
４３  カラー現像部
４４  ドラムクリーニング部
５１  中間転写ベルト
５２  １次転写部
５３  テンションローラ
５４  ２次転写ローラ
５５  ２次転写ローラ
５６  クリーニング部
３０１  スキャナユニット
３０２  操作部
３０３  装置本体
３０４  プリンタエンジン
３０５  トナーエンド検知機構
【図１】
2005055699.tif 000003
【図２】
2005055699.tif 000004
【図３】
2005055699.tif 000005
【図４】
2005055699.tif 000006
【図５】
2005055699.tif 000007
【図６】
2005055699.tif 000008
【図７】
2005055699.tif 000009
【図８】
2005055699.tif 000010
【図９】
2005055699.tif 000011
【図１０】
2005055699.tif 000012